(57)【要約】【課題】  発光面端部付近における輝度低下部分を抑制できる照明装置を提供する。【解決手段】  本発明の照明装置に係る直下型バックライト１は、平行側内壁側面１１ｃの反射面１６ａの面上にレンズシート１７を配置した。これにより、発光面１２ａ端部付近における輝度を高めることができ、輝度低下部分の発生を抑制することができる。【選択図】      図１
2005285620.tif 000002
【特許請求の範囲】
【請求項１】
発光面となる拡散板と、前記拡散板の背後に配置される光源と、前記光源の背後に前記拡散板と対向配置されるとともに前記光源の光を前記拡散板側へ反射する底面反射面と、前記底面反射面の側部に配置され前記光源の光を前記拡散板側へ反射する側面反射面と、を有する照明装置において、
前記側面反射面上には、レンズ面を前記拡散板側とされたレンズ層が配置されていることを特徴とする照明装置。
【請求項２】
前記光源は直線管状部を有し、
前記レンズ層のレンズ面には、複数の微細なレンズ条が設けられるとともに前記レンズ条の長手方向は前記直線管状部と略平行とされていることを特徴とする請求項１記載の照明装置。
【請求項３】
前記底面反射面を外方に延長した面に対する前記側面反射面の傾斜角度は４５度以上であることを特徴とする請求項１もしくは２のいずれかに記載の照明装置。
【請求項４】
前記側面反射面は、拡散反射面であることを特徴とする請求項１〜３のいずれかに記載の照明装置。
【請求項５】
前記側面反射面と前記レンズ層の間には空気層が設けられていることを特徴とする請求項４記載の照明装置。
【請求項６】
前記レンズ層は耐光性を有していることを特徴とする請求項１〜５のいずれかに記載の照明装置。
【発明の詳細な説明】
【技術分野】
【０００１】
本発明は、液晶表示装置のバックライト等に用いられる照明装置に関する。
【背景技術】
【０００２】
従来から、液晶表示装置等のバックライト等に用いられる照明装置としては、直下型のバックライトがある。この直下型バックライトは、一面が開口した箱体のフレームと、この開口側に配置される発光面となる面状の拡散部材としての拡散板と、この拡散板の背後に光源がされるようにフレーム内に収容されており、フレームの内壁底面および内壁側面はその光源の光を拡散板側へ反射する反射面とする構成を採っている。
このような照明装置は、フレーム内壁の側面反射面による反射光の輝度が低い場合、発光面の端部付近の輝度が低下したり、発光面上に輝度の低い部分が線状に現れる暗線等、発光面の端部付近に輝度低下部分が現れることがあった。このように照明装置の発光面の端部に輝度低下部分があると、液晶表示装置の画面上に輝度差が生じ、画面品位が損なわれる。このためこの種の照明装置では、発光面全体で輝度の分布が均一な発光品位の高いものが要求されている。
従来、上記照明装置の光源背後の反射面として、（１）金属の蒸着などで得られる光沢表面を持つ金属光沢シートや、（２）波形や山形に成形した反射板や、（３）拡散反射シート、等が用いられていた（例えば、特許文献１，２参照）。
【０００３】
【特許文献１】特開平５−６１０４３号公報（第２頁）
【特許文献２】特開平６−２５０１７８号公報（第２頁）
【発明の開示】
【発明が解決しようとする課題】
【０００４】
しかしながら、上記（１）の金属光沢シートを用いた照明装置では、側面反射面の反射光の輝度を高めることができるが金属光沢面が光源の光を正反射するため、発光面端部付近の輝度低下部分を解消することが困難であった。また、上記（２）の反射板を用いた場合、反射板の形状が複雑であり、発光面端部付近の輝度低下部分を解消することのできる最適な形状を設定することが難しく、さらに反射板に加工を要することや光源と反射板の形状との位置関係を高い精度で設定する必要があるといった問題があった。また、上記（３）の拡散反射シートを用いた場合、光源からの光を拡散反射するため、側面反射面の反射光の輝度の低下が大きく、発光面端部付近の輝度低下部分が現れることを抑制することができなかった。
【０００５】
本発明はこのような事情に鑑みなされたものであり、発光面端部付近における輝度低下部分の発生を抑制することができる照明装置の提供を目的とする。
【課題を解決するための手段】
【０００６】
本発明は、発光面となる拡散板と、前記拡散板の背後に配置される光源と、前記光源の背後に前記拡散板と対向配置されるとともに前記光源の光を前記拡散板側へ反射する底面反射面と、前記底面反射面の側部に配置され前記光源の光を前記拡散板側へ反射する側面反射面と、を有する照明装置において、前記側面反射面上には、レンズ面を前記拡散板側とされたレンズ層が配置されていることを特徴としている。
【０００７】
上記のように構成された照明装置によれば、前記側面反射面上にレンズ面を前記拡散板側としてレンズ層を配置することにより、前記発光面端部付近の輝度を高め、輝度低下部分の発生を抑制できることを本発明者は見出した。つまり、本発明者は、前記側面反射面上にレンズ層を配置することで前記光源から前記側面反射面に向かって出射される光を好適に反射し、この側面反射面による反射光の輝度を高め、前記発光面端部付近に現れる輝度低下部分の発生を抑制できることを実験的に見出し、この知見に基づき本発明を完成させた。
【０００８】
また、上記照明装置において、前記光源は、直線管状部を有し、前記レンズ層のレンズ面には複数の微細なレンズ条が設けられるとともに前記レンズ条の長手方向は前記直線管状部と略平行とされていることが好ましい。
この場合、前記レンズ層のレンズ条を前記光源の形状に沿って配置できるので、前記光源から出射される光は前記レンズ層によって効果的に集光することができる。従って、側面反射面による反射光の輝度をより高めることができる。
【０００９】
また、上記照明装置において、前記底面反射面を外方に延長した面に対する前記側面反射面の傾斜角度は４５度以上であることが好ましい。この場合、前記側面反射面に前記レンズ層を配置しかつ前記傾斜角度を４５度以上に設定することで、前記側面反射面による反射光をその輝度を高めつつより確実に前記拡散板端部付近に出射することができる。よって、発光面端部付近の輝度を効果的に高めることができる。
【００１０】
また、上記照明装置において、前記側面反射面は、拡散反射面であることが好ましい。この場合、前記側面反射面は前記光源からの光を拡散しつつ反射できるので、前記拡散板に対して均一な反射光を出射することができる。従って、当該照明装置における発光品位をより高いものにできる。
【００１１】
また、上記照明装置において、前記側面反射面と前記レンズ層の間には空気層が設けられていることが好ましい。この場合、前記拡散反射面とされた側面反射面には拡散反射を行うための微細な凹凸が存在しており、空気層を設けることで、当該拡散反射面における拡散反射を効果的なものにすることができる。これにより、前記側面反射面による反射光の輝度を高い状態に維持できる。
【００１２】
また、上記照明装置において、前記レンズ層は耐光性を有していることが好ましい。この場合、前記レンズ層が前記光源からの紫外線を受けたとしても、その耐光性によりレンズ層が劣化することを防止できる。従って、当該照明装置における輝度や発光品位等の経時的な低下を防止することができる。
【発明の効果】
【００１３】
以上のように、本発明に係る照明装置によれば、側面反射面上にレンズ層を設けることで、発光面端部付近における輝度を高め、発光面端部付近に現れる輝度低下部分の発生を抑制することができる。
【発明を実施するための最良の形態】
【００１４】
次に、本発明の好ましい実施形態について添付図面を参照しながら説明する。なお、以下の説明では、本発明の照明装置を例えば液晶表示装置の背面側に配置される１０インチ対応の直下型バックライトとして適用した場合を例示して説明する。図１（ａ）は、本発明の第一の実施形態に係る直下型バックライトの構造を模式的に示す断面図である。この直下型バックライト１は、一面が開口した箱状の下フレーム１１と、前記開口を塞ぐように配置される面状の拡散部材としての拡散板１２と、前記拡散板１２の背後（直下）に配置される光源１３と、拡散板１２の面上に配置される拡散シート１２ｂを介して拡散板１２の上に配置される上フレーム２０とを備えている。
【００１５】
拡散板１２は、例えばポリカーボネート、アクリルなどの白色又は乳白色の板状体が用いられる。本実施形態ではアクリル樹脂板である三菱レイヨン（株）製の商品名「アクリライトＮｏ４３２」を用い、その板厚は２ｍｍに設定した。このような拡散板１２は、上記下フレーム１１の開口を塞ぐように配置され、背後に配設された光源１３からの光を拡散して透過させることができるものである。このような拡散板１２により、光源１３からの光を均一にして拡散板１２の発光面１２ａから出射することができる。
【００１６】
拡散シート１２ｂは、拡散板１２の発光面１２ａ面上に配置されており、発光面１２ａから出射される光をさらに拡散する。拡散板１２上方に配置される上フレーム２０は、例えばアルミニウム合金により成形されており、下フレーム１１の周囲を囲うような方形枠状に成形されている。この上フレームの上端部には縁部２０ａが設けられており、上フレーム２０は、この縁部２０ａを拡散シート１２ｂを介して拡散板１２の周縁部と当接させて下フレーム１１に被せられている。図１（ｂ）は、図１（ａ）の上部平面図である。この図のように、縁部２０ａは、その端部によって略矩形状に開口した開口部２０ｂを成している。この開口部２０ｂは、反射面１５ａ、１６ａの上端部で形成される下フレーム１１の開口と略一致するように設定されており、発光面１２ａを外部へ露出した露出面１２ｃを成している。
【００１７】
本実施形態に係る直下型バックライト１は、図１（ａ）に示すように、露出面１２ｃにおいては、後述する内壁底面１１ａの反射面１４ａが配置されるように構成されているが、露出面１２ｃの端部付近には、その背後に後述する内壁側面１１ｂ、１１ｃの反射面１５ａ、１６ａが配置されている範囲Ｕ（図１（ｂ）中の斜線部）が存在する。
【００１８】
図２（ａ）は、本実施形態に係る直下型バックライトの拡散板１２を取り外した状態の平面図であり、図２（ｂ）は図２（ａ）におけるＳ−Ｓ線断面図である。光源１３は、図２に示すように、例えば、直径３ｍｍの管状体をＵの字状とした冷陰極管１３ａを３体備え、それぞれコネクタ１３ｂに取り付けられるとともに、図示しないランプ支持台等により支持されて下フレーム１１内に収容されている。冷陰極管１３ａはその長手方向に直線管状部１３ａ１を有しており、この直線管状部１３ａ１はそれぞれ２３．５ｍｍのピッチ間隔でフレーム左右方向に略平行となるように並設されている。また、光源１３には、図示しないインバータなどが接続されており、点灯・消灯が行えるよう構成されている。
【００１９】
下フレーム１１は、例えばアルミニウム合金により成形されており、矩形状の底面と、底面から開口側へ広がるように立設された冷陰極管１３ａの長手方向端部側に位置する側面および光源１３の長手方向に略平行な側面とを有し、一面が開口した形状に形成されている。図１および図２（ｂ）も参照して、下フレーム１１の内壁底面１１ａ、冷陰極管１３ａの長手方向端部側に位置する内壁側面である側面１１ｂ（以下、端部側内壁側面１１ｂとも言う。）、および冷陰極管１３ａの長手方向に対して略平行な側面である側面１１ｃ（以下、平行側内壁側面１１ｃとも言う。）には、それぞれ拡散反射シート１４，１５，１６が粘着剤等により貼り付けられており、これら拡散反射シートの表面がそれぞれ光源１３からの光を反射する反射面１４ａ，１５ａ，１６ａとされている。この拡散反射シートとして例えば、白色系拡散反射シートである東レ（株）製の商品名「Ｅ６０Ｖ」を用いた。
【００２０】
下フレーム１１の平行側内壁側面１１ｃに貼り付けられた拡散反射シート１６の反射面１６ａの面上には、レンズ層としてのレンズシート１７が配置されている。このレンズシート１７は、アクリル、ポリカーボネート等の透明樹脂で成形された板状体であり、具体的に本実施形態では住友３Ｍ（株）製の商品名「ＢＥＦII９０／５０」を用いた。図３は、図１中、破線Ａで囲まれた部分の断面を模式的に示した拡大図である。レンズシート１７は、図３に示すように一の方向に等ピッチで複数の微細な断面三角形状のレンズ条１７ａが設けられたレンズ面１７ｂを有するプリズムレンズシートを構成している。尚、本実施形態ではレンズ層として、断面三角形状のレンズ条に形成されたレンズシート１７を用いたが、例えば、断面半円状のレンズ条が形成されたレンズシートを用いてもよい。
【００２１】
このレンズシート１７は、粘着剤を用いて反射面１６ａにその一部を接着し固定されている。このとき、図３に示すように、レンズシート１７と反射面１６ａとの間に介在している粘着剤からなる粘着層１８が両者間の一部を接着している。このような粘着層１８を反射面１６ａの面上に対して複数箇所設け、レンズシート１７と反射面１６ａとの間に微小な空気層を形成している。また、この粘着層１８は、反射面１６ａとレンズシート１７とを接着した状態で略透明であることが好ましく、粘着層１８が両者を安定して接着した状態で略透明となるような粘着剤が用いられている。
【００２２】
このようにレンズシート１７と反射面１６ａとの間に空気層を設けた場合、拡散反射シート１６からなる反射面１６ａの表面には拡散反射を行うための微細な凹凸が存在しており、空気層を設けることで、反射面１６ａの拡散反射をより効果的なものにすることができる。これにより、反射面１６ａによる反射光の輝度を高い状態に維持できる。例えば、反射面１６ａとレンズシート１７との間の略全面に粘着層１８を設けた場合、反射面１６ａからは十分な輝度の反射光は得られるが、反射面１６ａ表面の微細な凹凸が粘着剤で埋まることで反射面１６ａにおける反射率がやや低下する場合があり、反射面１６ａの表面に空気層を設けることでより高い輝度の反射光を得ることができる。
尚、本実施形態ではレンズシート１７と反射面１６ａとの間に空気層を形成するために、粘着剤による粘着層１８を介在させたが、例えば反射面１６ａの面上にレンズシート１７を重ね合わせるのみでも微小な空気層は存在しており、このような状態でレンズシートを固定してもよい。
【００２３】
また、レンズシート１７が面上に固定されている反射面１６ａは、拡散反射シート１６を用いることによって拡散反射面とされている。この場合、反射面１６ａは光源１３からの光を拡散させつつ反射し、その反射光をプリズムレンズシート１７を通過させて出射できるので、拡散板１２に対して均一な反射光を出射できる。これによって、発光面１２ａにおける発光品位を高めることができる。
【００２４】
また、レンズシート１７は、このレンズ面１７ｂを下フレーム１１内部側とするとともにレンズ条１７ａの長手方向が冷陰極管１３ａの直線管状部１３ａ１と略平行になるように拡散反射シート１６の反射面１６ａの面上に固定されている。この場合、レンズシート１７のレンズ条１７ａを冷陰極管１３ａの長手方向に沿って配置されるので、冷陰極管１３ａから出射される光はレンズシート１７によって効果的に集光することができる。従って、反射面１６ａによる反射光の輝度をより高めることができる。
【００２５】
また、レンズシート１７のレンズ面表面は、耐光層１７ｃにより被覆されている。この場合、光源１３からの紫外線を耐光層１７ｃにより遮断できるので、アクリル系樹脂等で成形されているプリズムレンズシート１７が黄変等の劣化するのを防止できる。また、プリズムレンズシート１７に耐光剤を添加してもよい。これによって、当該直下型バックライト１における輝度や発光品位等の経時的な低下を防止することができる。もっとも、製品寿命が５００時間程度の玩具用等に用いられる直下型バックライトであれば、耐光層や耐光剤による劣化防止は不要である。
【００２６】
本実施形態では下フレーム１１の内壁底面１１ａの反射面１４ａと端部側内壁側面１１ｂの反射面１５ａには、レンズシート１７を配置しなかった。反射面１６ａにレンズシート１７を配置すると共に反射面１４ａおよび反射面１５ａにもレンズシートを配置した場合、製品として特に問題のない程度の効果は得られるが、反射面１６ａにのみレンズシート１７を配置した場合に、より良好な効果が得られたためである。
【００２７】
次に、本発明者が行った、上記実施形態に係る直下型バックライトの発光面１２ａにおける輝度分布を実験的に測定した試験結果について説明する。
本試験において、実施例品としては本実施形態の直下型バックライト１を用い、比較例品としては反射面１６ａに拡散反射シート１６のみを用いた直下型バックライト（本実施形態において反射面１６ａからプリズムレンズシート１７を除いた状態）を用いた。尚、本実験では、上フレーム２０は取り外した状態で試験に供した。
【００２８】
図４（ａ）は、下フレーム１１における平行側内壁側面１１ｃの反射面１６ａの角度および冷陰極管１３ａの位置関係を示す断面図である。本試験では、図４（ａ）中、冷陰極管１３ａの直線管状部１３ａ１のピッチ寸法Ｌは２３．５ｍｍとし、反射面１４ａの端部１４ａ１と最外に配置されている冷陰極管１３ａの中心との距離である距離寸法ｌは、冷陰極管１３ａのピッチ寸法Ｌ（２３．５ｍｍ）に対してＬ／０（０ｍｍ），Ｌ／４（５．８７５ｍｍ），Ｌ／２（１１．７５ｍｍ），Ｌ（２３．５ｍｍ）の４種類の値に変化させるとともに、反射面１４ａから外方に延長した面を示す破線Ｔに対する反射面１６ａの傾斜角度θとしては４５，６０，７５度の３種類の値に変化させて、実施例品と比較例品それぞれについて発光面１２ａの輝度分布の測定を行った。
【００２９】
図５〜図７は、それぞれ実施例品および比較例品の発光面１２ａにおける輝度分布の測定結果を示すグラフである。これらのグラフは、図４（ｂ）に示している発光面１２ａの左右方向略中心である点Ｘ１と点Ｘ２間の破線Ｘ上における輝度の分布の測定結果を示している。つまり、得られた輝度分布の測定結果は発光面１２ａの上下方向の輝度分布を示している。グラフ中の横軸は点Ｘ１と点Ｘ２間の破線Ｘ上の位置を示し、縦軸は輝度を示している。また、グラフ中実施例品の測定結果は実線Ｊで示し、同条件にて行った比較例品の測定結果は破線Ｈで示し、両者を同じグラフ中に重ね合わせて示している。
【００３０】
また、以下に示すすべての実験において、直下型バックライト１の点Ｘ１側（グラフ中左側）の平行側内壁側面１１ｃのみを用いて実験を実施し、点Ｘ２側の平行側内壁側面１１ｃには反射シート１６を貼り付けたのみでレンズシート１７は配置しなかった。従って、以下に示す測定結果については、すべて点Ｘ１側半分部分にのみ着目して説明する。
【００３１】
図５（ａ）〜（ｄ）は全て反射面１６ａの傾斜角度θを４５度とした場合の結果であり、（ａ）は距離寸法ｌをＬ／０、（ｂ）は距離寸法ｌをＬ／４、（ｃ）は距離寸法ｌをＬ／２、（ｄ）は距離寸法ｌをＬとした結果である。
図５において、点Ｘ１側の端部付近である破線で囲まれた部分の輝度について実施例品と比較例品とで比較すると、距離寸法ｌがいずれの場合においても実施例品の輝度が上昇していることが判る。
【００３２】
図６（ａ）〜（ｄ）は全て反射面１６ａの傾斜角度θを６０度とした場合の結果であり、（ａ）は距離寸法ｌをＬ／０、（ｂ）は距離寸法ｌをＬ／４、（ｃ）は距離寸法ｌをＬ／２、（ｄ）は距離寸法ｌをＬとした結果である。
図６において、点Ｘ１側の端部付近である破線で囲まれた部分の輝度について実施例品と比較例品とで比較すると、図５の場合と同様に、距離寸法ｌがいずれの場合においても実施例品の輝度が上昇していることが判る。
【００３３】
図７（ａ）〜（ｄ）は全て反射面１６ａの傾斜角度θを７５度とした場合の結果であり、（ａ）は距離寸法ｌをＬ／０、（ｂ）は距離寸法ｌをＬ／４、（ｃ）は距離寸法ｌをＬ／２、（ｄ）は距離寸法ｌをＬとした結果である。
図７において、点Ｘ１側の端部付近である破線で囲まれた部分の輝度について実施例品と比較例品とで比較すると、図５，図６の場合と同様に、距離寸法ｌがいずれの場合においても実施例品の輝度が上昇していることが判る。
【００３４】
このように、実施例品である本実施形態の直下型バックライト１では、いずれの条件の場合においても発光面１２ａの端部付近における輝度を高める効果があることを確認できた。
【００３５】
以上、実験結果から明らかなように、本実施形態に係る直下型バックライト１は、下フレーム１１の平行側内壁側面１１ｃに貼り付けられた拡散反射シート１６の反射面１６ａの面上にレンズシート１７を配置することで、光源１３から反射面１６ａに向かって出射される光を好適に反射できる。従って、発光面１２ａ端部付近の輝度を高め、発光面１２ａ端部付近に現れる輝度低下部分の発生を抑制できる。
【００３６】
すなわち、本実施形態の直下型バックライト１では、図１（ｂ）に示した範囲Ｕにおける輝度を高める効果がある。例えば、従来例にあるような反射面１６ａにレンズシート１７を備えていない直下型バックライトでは、この範囲Ｕの背後に位置する反射面１５ａ、１６ａが拡散板１２に対して一定の角度をもって配置されているため、その輝度が比較的低くなる傾向がある。しかし、本実施形態の直下型バックライト１によれば範囲Ｕを含めた発光面１２ａ端部付近の輝度を高めることができ、上フレーム２０の縁部２０ａを反射面１６ａ端部まで狭めることができるので、コンパクト化等、直下型バックライト１の設計の自由度を拡大できる。
【００３７】
また、本実施形態の直下型バックライト１では、上記のように拡散反射シート１６やプリズムレンズシート１７といった低コストの材料を特に精密に位置決めすることなく簡便な方法で固定すればよいので、コストを抑えつつ端部付近の輝度低下が抑制された直下型バックライトを提供できる。
【００３８】
また、反射面１６ａにレンズシート１７を配置した本実施形態に係る直下型バックライト１では、傾斜角度θを大きくした方が輝度を高くしやすく、特に、反射面１６ａの傾斜角度θを４５度以上に設定することで、反射面１６ａによる反射光をその輝度を高めつつより確実に拡散板１２端部付近に出射することができる。よって、発光面１２ａ端部付近の輝度を効果的に高めることができる。
【００３９】
次に距離寸法ｌをＬ／０（０ｍｍ）に設定したものである図５（ａ）、図６（ａ）、図７（ａ）の実施例品の輝度分布をみると、いずれの場合においても、発光面１２ａ中心付近の輝度に比べて点Ｘ１側端部付近の輝度は比較的大きく上昇している。これにより画面全体の発光品位を下げるおそれがある。また、距離寸法ｌをＬ（２３．５ｍｍ）に設定したものである図５（ｄ）、図６（ｄ）、図７（ｄ）についてみると、いずれの場合においても端部付近の絶対的な輝度が低く、発光品位の改善は見られなかった。
一方、距離寸法ｌがＬ／４（５．８７５ｍｍ）、Ｌ／２（１１．７５ｍｍ）に設定したものである図５（ｂ），（ｃ）、図６（ｂ），（ｃ）、図７（ｂ），（ｃ）の実施例品の輝度分布をみると、この場合には発光面１２ａ中心付近の輝度に比べて輝度の差は、大きく生じておらず、発光品位を向上させる効果が高いことが判る。
【００４０】
以上の結果から、本実施形態に係る直下型バックライト１において、その距離寸法ｌは、Ｌ／４（５．８７５ｍｍ）〜Ｌ／２（１１．７５ｍｍ）とすることが好ましい。このようにすることで、レンズシート１７が配置された反射面１６ａによる反射光は、発光面１２ａ端部付近に発生する輝度低下部分を抑制するのに適した輝度とできるので、発光品位を向上させる効果が得られる。
【００４１】
また、図５（ｂ）の実施例品の輝度分布をみると、点Ｘ１側端部付近の輝度は発光面１２ａ中心付近から点Ｘ１に向かって比較的なだらかに低下している。一方、図６（ｂ）、図７（ｂ）のものをみると、点Ｘ１側端部付近の輝度は、発光面１２ａ中心付近から一定の輝度を保ちつつ推移し、点Ｘ１に向かって図５（ｂ）の場合と比較して急激に低下している。すなわち、このことは発光面１２ａのより端部近傍まで高い輝度を保っていることを示している。また、このような傾向は傾斜角度θのみ変化させ他の条件は同一としたものとで比較した場合、いずれの場合にも同様の傾向がある。
【００４２】
以上のことから、本実施形態に係る直下型バックライト１では、反射面１６ａの傾斜角度を６０度以上とすることが好ましい。この場合、レンズシート１７によって輝度が高められた反射面１６ａによる反射光は、好適に拡散板１２端部付近に出射されるので、発光面１２ａのより端部近傍まで高い輝度を保つことができる。
さらに傾斜角度θが６０度以上でかつ距離寸法ｌがＬ／４（５．８７５ｍｍ）〜Ｌ／２（１１．７５ｍｍ）の場合において、レンズシート１７を備えた反射面１６ａによる反射光は、より好適に拡散板１２端部付近に出射されるので、良好な発光品位を得ることができる。
【００４３】
尚、本発明の照明装置は、上記実施形態に限定されるものではなく、レンズ層の形状，材質，配置、反射層の材質、照明装置の構成等は、本発明の趣旨に基づいて適宜変更することができる。
【図面の簡単な説明】
【００４４】
【図１】本発明の第一の実施形態に係る直下型バックライトの構造を模式的に示す断面図である。
【図２】図１中の直下型バックライト１の拡散板１２を取り外した状態の平面図である。また（ｂ）は、（ａ）におけるＳ−Ｓ線断面図である。
【図３】図１中、破線Ａで囲まれた部分の断面を模式的に示した拡大図である。
【図４】反射面１６ａの傾斜角度および冷陰極管１３ａの内壁底面１１ａにおける位置関係を示す断面図、（ｂ）は輝度分布を測定した箇所を説明するための直下型バックライトの平面図である。
【図５】（ａ）〜（ｄ）は図４中点Ｘ１側の反射面１６ａのみにレンズシートを配置し（点Ｘ２側の反射面１６ａにはレンズシートを配置せず）傾斜角度θを４５度とした場合の輝度測定結果を示すグラフであり、（ａ）は距離寸法ｌをＬ／０、（ｂ）は距離寸法ｌをＬ／４、（ｃ）は距離寸法ｌをＬ／２、（ｄ）は距離寸法ｌをＬとしたグラフである。
【図６】（ａ）〜（ｄ）は図４中点Ｘ１側の反射面１６ａのみにレンズシートを配置し（点Ｘ２側の反射面１６ａにはレンズシートを配置せず）傾斜角度θを６０度とした場合の輝度測定結果を示すグラフであり、（ａ）は距離寸法ｌをＬ／０、（ｂ）は距離寸法ｌをＬ／４、（ｃ）は距離寸法ｌをＬ／２、（ｄ）は距離寸法ｌをＬとしたグラフである。
【図７】（ａ）〜（ｄ）は図４中点Ｘ１側の反射面１６ａのみにレンズシートを配置し（点Ｘ２側の反射面１６ａにはレンズシートを配置せず）傾斜角度θを７５度とした場合の輝度測定結果を示すグラフであり、（ａ）は距離寸法ｌをＬ／０、（ｂ）は距離寸法ｌをＬ／４、（ｃ）は距離寸法ｌをＬ／２、（ｄ）は距離寸法ｌをＬとしたグラフである。
【符号の説明】
【００４５】
１      直下型バックライト（照明装置）
１２    拡散板
１２ａ  発光面
１３    光源
１３ａ１  直線管状部
１４ａ  反射面（底面反射面）
１６ａ  反射面（側面反射面）
１７    レンズシート（レンズ層）
１７ａ  レンズ条
１７ｂ  レンズ面
１７ｃ  耐光層
θ      傾斜角度
【図１】
2005285620.tif 000003
【図２】
2005285620.tif 000004
【図３】
2005285620.tif 000005
【図４】
2005285620.tif 000006
【図５】
2005285620.tif 000007
【図６】
2005285620.tif 000008
【図７】
2005285620.tif 000009